Podtech/llm-jp-corpus-v4-ja_patent huggingface dataset:
【手続補正書】
【提出日】平成24年12月5日(2012.12.5)
【手続補正１】
【補正対象書類名】特許請求の範囲
【補正対象項目名】全文
【補正方法】変更
【補正の内容】
【特許請求の範囲】
【請求項１】
シートを搬送するシート搬送手段と、
前記シート搬送手段により搬送されたシートのシート搬送方向下流端を突き当てるシート突き当て部材と、
シート搬送方向と直交する幅方向に複数個配置されたパンチ及び前記パンチと協働して前記シート突き当て部材に突き当てられたシートに穿孔処理を行うダイ孔を有する穿孔手段と、
シートを幅方向に移動する移動手段と、
前記シート搬送手段により前記シート突き当て部材に搬送されるシートのシート搬送方向下流端が前記ダイ孔に到達する前に、搬送されるシートのシート搬送方向下流側の角部と前記ダイ孔が重ならない所定量、第１の幅方向にシートを移動するよう前記移動手段を制御し、シートのシート搬送方向下流端が前記ダイ孔を通過した後、前記所定量、前記第１の幅方向と反対の第２の幅方向にシートを移動するよう前記移動手段を制御する制御部と、を備えたことを特徴とするシート処理装置。
【請求項２】
前記パンチと前記ダイ孔は、異なる間隔、及び穴数で設定された複数の仕様に対応すべく幅方向に複数個配置されることを特徴とする請求項１記載のシート処理装置。
【請求項３】
前記制御部は、前記シート搬送手段により搬送中のシートを移動するよう前記移動手段を制御することを特徴とする請求項１又は２記載のシート処理装置。
【請求項４】
搬送されるシートの幅方向の側端位置を検知する検知手段を備え、
前記制御部は、前記検知手段による検知結果に基づいてシートの側端位置を補正すると共に、シートの側端位置を補正する際、前記移動手段によるシートの移動量を、シートの側端位置を修正するのに必要な修正量と前記所定量とから算出し、前記シート搬送手段により搬送されたシートのシート搬送方向下流端が前記ダイ孔を通過した後、前記修正量に戻すことを特徴とする請求項１乃至３の何れか１項に記載のシート処理装置。
【請求項５】
前記シート突き当て部材は、シートの戻し方向下流端と前記ダイ孔との距離を一定に保つようシートの戻し方向下流端が突き当てられると共に、シートの戻し方向下流端が突き当てられることにより、前記穿孔手段による穿孔処理の前にシートの斜行取りを行うことを特徴とする１乃至４のいずれか１項に記載のシート処理装置。
【請求項６】
シートを搬送する正逆転可能なシート搬送手段と、
前記シート搬送手段の正転の後の逆転によりシート搬送方向と逆方向に戻されるシートのシート戻し方向下流端を突き当てるシート突き当て部材と、
シート搬送方向と直交する幅方向に複数個配置されたパンチ及び前記パンチと協働して前記シート突き当て部材に突き当てられたシートに穿孔処理を行うダイ孔を有する穿孔手段と、
シートを幅方向に移動する移動手段と、
前記シート搬送手段により前記シート突き当て部材に戻されるシートのシート戻し方向下流端が前記ダイ孔に到達する前に、戻されるシートのシート戻し方向下流側の角部と前記ダイ孔が重ならない所定量、第１の幅方向にシートを移動するよう前記移動手段を制御し、シートのシート戻し方向下流端が前記ダイ孔を通過した後、前記所定量、前記第１の幅方向と反対の第２の幅方向にシートを移動するよう前記移動手段を制御する制御部と、を備えたことを特徴とするシート処理装置。
【請求項７】
前記パンチと前記ダイ孔は、異なる間隔、及び穴数で設定された複数の仕様に対応すべく幅方向に複数個配置されることを特徴とする請求項６記載のシート処理装置。
【請求項８】
前記制御部は、前記シート搬送手段により戻し中のシートを移動するよう前記移動手段を制御することを特徴とする請求項６又は７記載のシート処理装置。
【請求項９】
搬送されるシートの幅方向の側端位置を検知する検知手段を備え、
前記制御部は、前記検知手段による検知結果に基づいてシートの側端位置を補正すると共に、シートの側端位置を補正する際、前記移動手段によるシートの移動量を、シートの側端位置を修正するのに必要な修正量と前記所定量とから算出し、前記シート搬送手段により戻されたシートのシート戻し方向下流端が前記ダイ孔を通過した後、前記修正量に戻すことを特徴とする請求項６乃至８の何れか１項に記載のシート処理装置。
【請求項１０】
前記制御部は、前記シート搬送手段を、前記穿孔処理の際には一旦、シートのシート搬送方向上流端が前記シート突き当て部材と前記ダイ孔を通過するまでシートを搬送した後、逆転させて前記シート突き当て部材に向けてシートを戻すことを特徴とする請求項６乃至９のいずれか１項に記載のシート処理装置。
【請求項１１】
前記シート突き当て部材は、シートのシート搬送方向下流端と前記ダイ孔との距離を一定に保つようシートのシート搬送方向下流端が突き当てられると共に、シートのシート搬送方向下流端が突き当てられることにより、前記穿孔手段による穿孔処理の前にシートの斜行取りを行うことを特徴とする請求項６乃至１０のいずれか１項に記載のシート処理装置。
【請求項１２】
前記シート突き当て部材は、シートが通過するシート搬送パスに設けられ、シートが一旦、前記ダイ孔を通過する際、通過するシートにより押圧されて前記シート搬送パスから退避することを特徴とする請求項６乃至１１のいずれか１項に記載のシート処理装置。
【請求項１３】
シートに画像を形成する画像形成部と、
前記画像形成部で画像形成されたシートに処理を施す請求項１乃至１２のいずれか１項に記載のシート処理装置と、を備えたことを特徴とする画像形成装置。
【請求項１４】
シートの幅方向の長さ情報を入力する入力手段を備え、
前記入力手段から入力されたシートの幅方向の長さ情報に応じて搬送されるシートの角部と前記ダイ孔が重なる際は、前記移動手段により移動される前記所定量を変更することを特徴とする請求項１３記載の画像形成装置。
【手続補正２】
【補正対象書類名】明細書
【補正対象項目名】００１１
【補正方法】変更
【補正の内容】
【００１１】
本発明は、シート処理装置において、シートを搬送するシート搬送手段と、前記シート搬送手段により搬送されたシートのシート搬送方向下流端を突き当てるシート突き当て部材と、シート搬送方向と直交する幅方向に複数個配置されたパンチ及び前記パンチと協働して前記シート突き当て部材に突き当てられたシートに穿孔処理を行うダイ孔を有する穿孔手段と、シートを幅方向に移動する移動手段と、前記シート搬送手段により前記シート突き当て部材に搬送されるシートのシート搬送方向下流端が前記ダイ孔に到達する前に、搬送されるシートのシート搬送方向下流側の角部と前記ダイ孔が重ならない所定量、第１の幅方向にシートを移動するよう前記移動手段を制御し、シートのシート搬送方向下流端が前記ダイ孔を通過した後、前記所定量、前記第１の幅方向と反対の第２の幅方向にシートを移動するよう前記移動手段を制御する制御部と、を備えたことを特徴とするものである。
【手続補正書】
【提出日】平成25年3月29日(2013.3.29)
【手続補正１】
【補正対象書類名】特許請求の範囲
【補正対象項目名】全文
【補正方法】変更
【補正の内容】
【特許請求の範囲】
【請求項１】
拭き取りシートディスペンサであって、
複数の拭き取りシートを保持した内部を有する容器と、
前記容器を画定している送り表面を貫通して延びて、前記容器の前記内部と外部との間の連通をなしている掴み開口部と、
前記掴み開口部の一方の側に位置した枢動点で前記送り表面に枢動可能に取り付けられているボディ部材、および前記ボディ部材に形成されて引き裂き用形状部を画定する開口を包含する引きちぎり用柵部と、
を備え、
前記複数の拭き取りシートの先頭の拭き取りシートの先端部が、前記掴み開口部を通り、それから前記引きちぎり用柵部の前記開口を通って延在したときに、（a）前記先頭の拭き取りシートの前記先端部を引き裂き円弧の範囲内で引っ張ることができ、これにより、前記先頭の拭き取りシートが前記引き裂き用形状部に抗して引っ張られて、前記先頭の拭き取りシートの残りの部分が前記容器から取り出され、前記複数の拭き取りシートの残りの拭き取りシートとの連係が解かれるようになっており、その間に、前記複数の拭き取りシートのうちの次の拭き取りシートが前記掴み開口部を通って引き出され、その先端部が前記容器の前記内部から外に出るものであって、前記掴み開口部は、前記次の拭き取りシートの前記先端部が前記内部に落下するのを防止する役割をし、また（b）前記先頭の拭き取りシートの前記先端部を前記引き裂き円弧の範囲外に引っ張ることができ、これにより、前記先頭の拭き取りシートが前記引き裂き用形状部に抗して引っ張られることがないようにする、拭き取りシートディスペンサ。
【請求項２】
前記掴み開口部がスロットを有するボディ構体を包含し、前記拭き取りシートが前記スロットにより掴みられる、請求項１に記載の拭き取りシートディスペンサ。
【請求項３】
前記掴み開口部を通った拭き取りシートの先端部を各人が指で摘んで前記引きちぎり用柵部の前記開口に通すことができ、これにより、（a）前記引きちぎり用柵部の前記ボディ部材を前記掴み開口部の上に少なくとも部分的に延びることができるように枢動できるように、また（b）前記引きちぎり用柵部の前記ボディ部材を前記掴み開口部の上に延びることができないように前記引きちぎり用柵部の前記ボディ部材を枢動できるように、前記引きちぎり用柵部が前記掴み開口部から間隔をあけて設けられている、請求項１に記載の拭き取りシートディスペンサ。
【請求項４】
前記送り表面が蓋部に設けられ、前記掴み開口部が前記蓋部に設けられて前記容器の前記内部と前記外部との間の連通をなしている、請求項１に記載の拭き取りシートディスペンサ。
【請求項５】
さらに、開放位置と閉じ位置との間で枢動可能な蓋キャップを備えており、前記蓋キャップが前記閉じ位置で前記掴み開口部を覆って前記容器の前記内部と前記外部と間の連通を封鎖する、請求項４に記載の拭き取りシートディスペンサ。
【請求項６】
前記蓋キャップが、前記開放位置において、前記引き裂き円弧の範囲外の方向に前記先頭の拭き取りシートが引っ張られるのを妨げる、請求項５に記載の拭き取りシートディスペンサ。
【請求項７】
前記蓋キャップが、前記閉じ位置において前記引きちぎり用柵部を覆う、請求項６に記載の拭き取りシートディスペンサ。
【請求項８】
前記掴み開口部が、前記先頭の拭き取りシートの前記残りの部分を前記容器から引き出すための固定位置を形成している、請求項１に記載の拭き取りシートディスペンサ。
【請求項９】
前記先頭の拭き取りシートの前記先端部を前記引き裂き用形状部に抗して引っ張ると、前記引きちぎり用柵部が、前記先頭の拭き取りシートと前記引き裂き用形状部との間の接点により作られる加圧点と前記先端部が引っ張られた方向とに応じて決まる位置に枢動する、請求項８に記載の拭き取りシートディスペンサ。
【請求項１０】
前記引き裂き用形状部が狭窄の拭き取りシート用スロットであり、前記開口がさらに送りスロットを形成する傾斜辺を画定し、前記送りスロットは、前記先頭の拭き取りシートが前記引き裂き円弧の範囲内で引っ張られたときに、前記先頭の拭き取りシートを前記拭き取りシート用スロットに抗して前記拭き取りシート用スロットに押し込む、請求項１に記載の拭き取りシートディスペンサ。
【請求項１１】
前記容器が、複数の硬質容器と複数の可撓性容器で構成される容器群から選択される、請求項１に記載の拭き取りシートディスペンサ。
【請求項１２】
前記容器が、可撓性壁部を有する可撓性容器であり、前記拭き取りシートディスペンサが、さらに、前記可撓性壁部に固定された隆起部を包含し、前記隆起部が前記送り表面を形成している、請求項１１に記載の拭き取りシートディスペンサ。
【請求項１３】
前記掴み開口部と前記引きちぎり用柵部とが前記隆起部に設けられている、請求項１２に記載の拭き取りシートディスペンサ。
【請求項１４】
前記複数の拭き取りシートがウェブ状拭き取りシートの部分として用意され、前記複数の拭き取りシートの個々の拭き取りシートが前記ウェブ状拭き取りシートにおいてミシン目で区画されている、請求項１に記載の拭き取りシートディスペンサ。
【請求項１５】
前記複数の拭き取りシートが折り合わされた複数枚の拭き取りシートとして用意される、請求項１に記載の拭き取りシートディスペンサ。
【手続補正書】
【提出日】平成25年7月12日(2013.7.12)
【手続補正１】
【補正対象書類名】明細書
【補正対象項目名】０００２
【補正方法】変更
【補正の内容】
【０００２】
【背景技術】階段やスロープの昇降時に、その階段やスロープの傾斜角度にかかわらず荷台や車椅子を水平に保つことができる台車の従来技術としては、特開２００２−２８４０４９「車椅子の座面や荷台を水平に保って平地走行並びに階段昇降が可能な運搬車とその走行方法」がある。
【手続補正２】
【補正対象書類名】明細書
【補正対象項目名】０００４
【補正方法】変更
【補正の内容】
【０００４】特開２００２−２８４０４９の搬送台車は、荷台や車椅子を水平に保って階段を昇降できるが、駆動装置を必要とし、また平行クランク機構とそれに附設された前後左右４本のクローラを中心とした構成で、複雑でたくさんの部品を必要とする。
【手続補正書】
【提出日】平成25年10月30日(2013.10.30)
【手続補正１】
【補正対象書類名】特許請求の範囲
【補正対象項目名】全文
【補正方法】変更
【補正の内容】
【特許請求の範囲】
【請求項１】
複数のケイ素化合物の反応生成物を含むコポリマーであって、各々のケイ素化合物が少なくとも１つのケイ素原子を含み、該ケイ素化合物が
有機鎖を含む第１ケイ素化合物であって、有機鎖が少なくとも２つの炭素原子を有する前記第１ケイ素化合物; 及び
少なくとも１つの酸基を含む第２ケイ素化合物であって、酸基が結合基を介して第２ケイ素化合物のケイ素原子に結合されている前記第２ケイ素化合物
を含む前記ポリマー。
【請求項２】
結合基が、酸基の酸性度を増強するために、電子吸引基を含んでいる、請求項１記載のコポリマー。
【請求項３】
酸基がホスホン酸基である、請求項１記載のコポリマー。
【請求項４】
結合基がアルキル鎖を含んでいる、請求項３記載のコポリマー。
【請求項５】
アルキル鎖が少なくとも部分的にフッ素化されている、請求項４記載のコポリマー。
【請求項６】
有機鎖が第１端と第２端を有し、第１端が第１シリル基に接続され、第２端が第２シリル基に接続されている、請求項１記載のコポリマー。
【請求項７】
有機鎖がポリプロピレンオキシド鎖である、請求項６記載のコポリマー。
【請求項８】
有機鎖が、少なくとも２つの炭素原子を含む炭化水素鎖である、請求項６記載のコポリマー。
【請求項９】
複数のケイ素化合物が第３ケイ素化合物を含み、
第３ケイ素化合物が少なくとも１つの加水分解性基を有するシラン誘導体である、請求項１記載のコポリマー。
【請求項１０】
第３ケイ素化合物がアルコキシシランである、請求項９記載のコポリマー。
【請求項１１】
第３ケイ素化合物がテトラエトキシシランである、請求項９記載のコポリマー組成物。
【請求項１２】
請求項１記載のコポリマーを含む高分子電解質膜。
【請求項１３】
請求項１２記載の高分子電解質膜を含む燃料電池。
【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
シリコーン樹脂を製造する方法であって、
（ｉ）式Ｚ３−ａＲ１ａＳｉ−ＳｉＲ１ｂＺ３−ｂを有する少なくとも１つのハロジシラン、及び任意に式Ｒ１ｂＳｉＺ４−ｂを有する少なくとも１つのハロシランを、有機溶媒の存在下で、式Ｒ2ＯＨを有する少なくとも１つのアルコールと反応させて、アルコール分解生成物を産生すること（式中、各々のＲ１は独立して−Ｈ、ヒドロカルビル、又は置換ヒドロカルビルであり、Ｒ２はアルキル又はシクロアルキルであり、Ｚはハロであり、ａ＝０、１、又は２であり、ｂ＝０、１、２、又は３である）、
（ｉｉ）該工程（ｉ）における副産物として産生されるハロゲン化水素ガスを除去すること、
（ｉｉｉ）該アルコール分解生成物の少なくとも８５モル％のケイ素結合アルコキシ基が加水分解されるように、該アルコール分解生成物を０℃〜４０℃の温度で水と反応させて、加水分解物を産生すること、並びに
（ｉｖ）該加水分解物を加熱して、樹脂を産生することであって、該工程（ｉｖ）で産生された樹脂は単離又は精製することなく使用することができる、
を含むシリコーン樹脂を製造する方法。
【請求項２】
前記ハロジシラン及び前記ハロシランの両方を、前記有機溶媒の存在下で、前記アルコールと反応させて、前記アルコール分解生成物を産生する請求項１に記載の方法。
【請求項３】
前記有機溶媒がケトンである請求項１に記載の方法。
【請求項４】
前記ケトンがメチルイソブチルケトンである請求項３に記載の方法。
【請求項５】
前記工程（ｉ）が前記ハロジシラン、前記ハロシラン、及び前記有機溶媒の混合物に前記アルコールを添加することにより実行される請求項１に記載の方法。
【請求項６】
前記ハロジシランに対する前記ハロシランのモル比が０．５〜８０である請求項１に記載の方法。
【請求項７】
前記工程（ｉｉｉ）が０℃〜２０℃の温度で実行される請求項１に記載の方法。
【請求項８】
前記工程（ｉｖ）が４０℃〜１００℃の温度で実行される請求項１に記載の方法。
【請求項９】
前記シリコーン樹脂が、式［Ｏ（３−ａ）／２Ｒ１ａＳｉ−ＳｉＲ１ｂＯ（３−ｂ）／２］ｖ（Ｒ１３ＳｉＯ１／２）ｗ（Ｒ１２ＳｉＯ２／２）ｘ（Ｒ1ＳｉＯ３／２）ｙ（ＳｉＯ４／２）ｚ（式中、各々のＲ１は独立して−Ｈ、ヒドロカルビル、又は置換ヒドロカルビルであり、ａは０、１、又は２であり、ｂは０、１、２、又は３であり、ｖは０．０１〜１であり、ｗは０〜０．８４であり、ｘは０〜０．９９であり、ｙは０〜０．９９であり、ｚは０〜０．９５であり、ｖ＋ｗ＋ｘ＋ｙ＋ｚ＝１である）を有する請求項１に記載の方法。
【請求項１０】
前記シリコーン樹脂が５００〜１５０，０００の数平均分子量を有する請求項１に記載の方法。
【請求項１１】
前記シリコーン樹脂が５％〜５０％（ｗ／ｗ）のケイ素結合ヒドロキシ基を含有する請求項１に記載の方法。
【手続補正書】
【提出日】平成24年12月7日(2012.12.7)
【手続補正１】
【補正対象書類名】特許請求の範囲
【補正対象項目名】請求項１
【補正方法】変更
【補正の内容】
【請求項１】
酸化物ガラスであって、
カチオン％表示にて、
Ｐ5+を16〜35％、
Ｂｉ3+を14〜35％、
Ｎｂ5+を10〜33％、
Ｔｉ4+を0〜18％、
Ｗ6+を0〜20％
含み、
Ｂｉ3+、Ｎｂ5+、Ｔｉ4+およびＷ6+の合計含有量が58％以上、
屈折率ｎｄが2.05を超え、アッベ数νｄが18.5以下であることを特徴とする光学ガラス。
【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
回転する主軸の先端に脱着可能に取り付けられ、刃具が挿入される工具ホルダと、
切削により生じる切りくずを吸引する筒状フードとを有する工作機械用切りくず処理装置であって、
前記筒状フードは、内周部と外周部からなる二重構造を有しており、前記内周部と前記外周部の間の空間を吸引路となして、前記切りくずを含む排気が排気され、
前記工具ホルダの外周には前記二重構造の筒状フードを装着する軸受けを有し、
さらに、前記二重構造の筒状フードは、前後方向に摺動可能にして前記空間を伸縮させるスライドフードを刃具側に有することを特徴とする工作機械用切りくず処理装置。
【請求項２】
回転する主軸の先端に脱着可能に取り付けられ、刃具が挿入される工具ホルダと、
切削により生じる切りくずを吸引する筒状フードとを有する工作機械用切りくず処理装置であって、
前記筒状フードは、内周部と外周部からなる二重構造を有しており、前記内周部と前記外周部の間の空間を吸引路となして、前記切りくずを含む排気が排気され、
かつ、圧縮空気供給路が設けられており、
前記工具ホルダの外周には前記二重構造の筒状フードを装着する軸受けを有し、
さらに、前記二重構造の筒状フードは、前後方向に摺動可能にして前記空間を伸縮させるスライドフードを刃具側に有し、
かつ、刃具先端に向けて圧縮空気を供給する圧縮空気供給路を具備することを特徴とする工作機械用切りくず処理装置。
【請求項３】
前記スライドフードは前面には、その中心に刃具を貫通させる刃具用口が設けられるとともに、前記前面の外周側に切屑を吸引する１つ以上の吸引口が設けられていることを特徴とする請求項１に記載の工作機械用切りくず処理装置。
【請求項４】
前記スライドフードの前面には、その中心に刃具を貫通させる刃具用口が設けられるとともに、前記圧縮空気供給路からの圧縮空気を刃具先端に噴出させるため前記刃具用口の周囲に１つ以上の噴出孔が設けられ、前記前面の外周側に切屑を吸引する１つ以上の吸引口が設けられていることを特徴とする請求項２に記載の工作機械用切りくず処理装置。
【請求項５】
前記スライドフードは、前記圧縮空気供給路から圧縮空気が供給されるときは前方へ付勢されるように配設されているとともに、切りくずが吸引されるとき吸引路内は負圧となり、前記スライドフードの前面がワークに接近すると前記吸引路内の負圧が上昇して、前記スライドフードは前方への付勢力に抗して主軸側へ移動し、ワークから一定距離離れた位置で釣り合い状態を維持することを特徴とする請求項２又は４に記載の工作機械用切りくず処理装置。
【請求項６】
前記スライドフードは、ワークから一定距離離れた任意の位置に固定できるようにされていることを特徴とする請求項１乃至４に記載の工作機械用切りくず処理装置。
【請求項７】
前記二重構造の筒状フードには、弾性力によって主軸側に付勢され、かつ圧縮空気供給路が設けられたまわり止めブロックが設けられており、
前記まわり止めブロックは、工具ホルダが主軸にクランプされているときに前記二重構造の筒状フードのまわり止めを兼ねていることを特徴とする請求項２、４、５又は６のいずれか一つに記載の工作機械用切りくず処理装置。
【手続補正２】
【補正対象書類名】明細書
【補正対象項目名】０００９
【補正方法】変更
【補正の内容】
【０００９】
上記目的を達成すべく本発明は次の技術的手段を講じた。
すなわち、本発明に係る切りくず処理装置は、回転する主軸の先端に脱着可能に取り付けられ、刃具が挿入される工具ホルダと、切削により生じる切りくずを吸引する筒状フードとを有する工作機械用切りくず処理装置であって、前記筒状フードは、内周部と外周部からなる二重構造を有しており、前記内周部と前記外周部の間の空間を吸引路となして、前記切りくずを含む排気が排気され、前記工具ホルダの外周には前記二重構造の筒状フードを装着する軸受けを有し、さらに、前記二重構造の筒状フードは、前後方向に摺動可能にして前記空間を伸縮させるスライドフードを刃具側に有することを特徴とする。
【手続補正３】
【補正対象書類名】明細書
【補正対象項目名】００１５
【補正方法】変更
【補正の内容】
【００１５】
また、圧縮空気供給路が設けられたまわり止めブロックを主軸側に付勢して、工具ホルダが主軸にクランプされているとき、このまわり止めブロックが筒状フードのまわり止めを兼ねているのが望ましい。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
接着剤を噴射する接着剤ヘッドと、
液体を噴射する液体記録ヘッドと、
記録媒体上に、前記接着剤ヘッドから前記接着剤を噴射して接着剤層を形成した後、前記接着剤層の上に前記液体記録ヘッドから前記液体を噴射して図柄層を形成する制御部と、
を有することを特徴とする液体噴射装置。
【請求項２】
前記液体記録ヘッドは、第１の液体記録ヘッド及び第２の液体記録ヘッドを有し、
前記制御部は、前記接着剤層を形成した後、前記接着剤層の上に前記第１の液体記録ヘッドから前記第１の液体を噴射して下地層を形成し、前記下地層の上に前記第２の液体記録ヘッドから前記第２の液体を噴射して図柄層を形成する
請求項１に記載の液体噴射装置。
【請求項３】
透明な液体を噴射するクリアヘッドをさらに有し、
前記制御部は、前記図柄層の上に前記クリアヘッドから前記透明な液体を噴射してクリア層を形成する
請求項１又は請求項２に記載の液体噴射装置。
【請求項４】
前記制御部は、前記記録媒体上の前記図柄層以外の場所に、前記接着剤ヘッドから前記接着剤を噴射して接着剤層を形成した後、前記接着剤層の上に前記液体記録ヘッドからフラッシングしてフラッシング層を形成する
請求項１乃至請求項３のいずれか１つに記載の液体噴射装置。
【請求項５】
前記制御部は、前記接着剤層と前記フラッシング層の間に、前記液体記録ヘッドから前記液体を噴射して下地層を形成する
請求項４に記載の液体噴射装置。
【請求項６】
前記記録媒体に向けて紫外線を照射する紫外線照射部をさらに有し、
前記液体は、前記紫外線照射部が紫外線を照射することで硬化する
請求項１乃至請求項５のいずれか１つに記載の液体噴射装置。
【請求項７】
前記接着剤は、前記紫外線照射部が紫外線を照射することで発生する熱により定着する請求項６に記載の液体噴射装置。
【請求項８】
記録媒体上に、
接着剤を噴射して接着剤層を形成する工程と、
前記接着剤層の上に第１の液体を噴射して下地層を形成する工程と、
前記下地層の上に第２の液体を噴射して図柄層を形成する工程と、
前記図柄層の上に透明な液体を噴射してクリア層を形成する工程と、
を有することを特徴とする液体噴射装置の制御方法。
【手続補正２】
【補正対象書類名】明細書
【補正対象項目名】００７１
【補正方法】変更
【補正の内容】
【００７１】
図８は、実施例４の記録媒体Ｓの図柄領域Ｐ１での断面図である。
【手続補正３】
【補正対象書類名】明細書
【補正対象項目名】００８２
【補正方法】変更
【補正の内容】
【００８２】
図１１は、実施例５の記録媒体Ｓのフラッシング領域ＦＬ１での断面図である。
【手続補正書】
【提出日】平成24年12月14日(2012.12.14)
【手続補正１】
【補正対象書類名】明細書
【補正対象項目名】００２７
【補正方法】変更
【補正の内容】
【００２７】
示されるように、本発明の心臓内閉塞器１０の生物学的組織足場は、組織内成長速度を増加させ、結果として、心臓内欠損が完全に閉じるのに必要とされる時間を減少させる。詳細には、ここで図７Ｂを参照すると、本発明の心臓内閉塞器１０は、９０日後にほとんど見えなくなっている。周囲の組織の内成長は、ほぼ完全に心臓内閉塞器１０を取り囲んでいる。比較して、ここで図７Ａを参照すると、当該分野で公知の例示的な心臓内閉塞器は、同じ時間経過後もなおはっきりと見えている。
【手続補正２】
【補正対象書類名】特許請求の範囲
【補正対象項目名】全文
【補正方法】変更
【補正の内容】
【特許請求の範囲】
【請求項１】
心臓内欠損を被移植体組織の内皮化によって実質的に閉めるようにして前記心臓内欠損を治療するために、経皮経管腔内に永久移植するための心臓内閉塞器であって、
閉塞シェルのための対向する近位支持構造体及び遠位支持構造体を形成する弾力性ワイヤであって、各支持構造体は、Ｍ字状のアーチ形に延びたワイヤを形成する二つの外脚及び二つの内脚から形成されたものであり、Ｍ字状の各支持構造体の二つの外脚は、対向するＭ字状の支持構造体の外脚に接合されているものである、弾力性ワイヤと、
内皮化のための足場を提供する近位閉塞シェルであって、非孔性の生体吸収性シートから形成され、Ｍ字状の前記近位支持構造体の外脚及び内脚間に固着される、近位閉塞シェルと、
内皮化のための足場を提供する遠位閉塞シェルであって、非孔性の生体吸収性シートから形成され、Ｍ字状の前記遠位支持構造体の外脚及び内脚間に固着される、遠位閉塞シェルと、を備える、閉塞器。
【請求項２】
請求項１に記載の閉塞器において、前記生体吸収性シートは、精製された生体工学的処理をされた１型コラーゲンである閉塞器。
【請求項３】
請求項２に記載の閉塞器において、前記精製された生体工学的処理をされた１型コラーゲンは、腸の粘膜下組織層由来である閉塞器。
【請求項４】
請求項１に記載の閉塞器において、前記ワイヤは耐食金属で製造されたものである閉塞器。
【請求項５】
請求項１に記載の閉塞器において、前記ワイヤは生体吸収ポリマーから製造されたものである閉塞器。
【請求項６】
請求項１に記載の閉塞器において、前記ワイヤは生分解性ポリマーから製造されたものである閉塞器。
【請求項７】
請求項１に記載の閉塞器において、コラーゲンシートは、抗血栓性処理がなされている閉塞器。
【請求項８】
心臓内の中隔欠損を治療するための方法であって、
(a)請求項１に記載の閉塞器を、カテーテルシースの遠位端に圧入するステップと、
(b)前記シースを、前記心臓内に導入し、前記中隔欠損を通過させ、その遠位端を前記中隔欠損の遠位側に位置させるステップと、
(c)遠位閉塞シェルを、前記シースから延ばして、前記中隔欠損の遠位面に自動的かつ弾力的に据えるステップと、
(d)前記シースを、後退させて、前記シースの遠位端を前記中隔欠損の近位側に位置させるステップと、
(e)近位閉塞シェルを、前記シースから延ばして、前記中隔欠損の近位面に自動的かつ弾力的に据えるステップと、
(f)前記閉塞器を解放して前記中隔欠損中に残し、前記シースを心臓から後退させるステップと、を備える方法。
【請求項９】
請求項８に記載の方法において、前記中隔欠損は卵円孔開存である方法。
【請求項１０】
請求項８に記載の方法において、前記中隔欠損は心房中隔欠損である方法。
【請求項１１】
請求項８に記載の方法において、前記中隔欠損は心室中隔欠損である方法。
【請求項１２】
請求項８に記載の方法において、前記中隔欠損は左心耳である方法。
【請求項１３】
請求項８に記載の方法において、
(g)少なくとも９０日後に、前記閉塞シェルの内皮化が生じたことを確認するステップを、更に備える方法。
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
扉体と、
当否判定を少なくとも実行可能な当否判定手段と、
音を少なくとも出力可能な音出力手段と、
画像を少なくとも表示可能な画像表示手段と、
を備えた遊技台であって、
前記音出力手段は、先読み予告条件の成立があった場合に、前記当否判定手段による前記当否判定が実行されるよりも前に先読み予告音を少なくとも出力可能なものであり、
前記画像表示手段は、前記先読み予告条件の成立があった場合に、前記当否判定手段による前記当否判定が実行されるよりも前に先読み予告画像を少なくとも表示可能なものであり、
前記音出力手段は、前記先読み予告条件の成立があった場合に、前記扉体が開放されている場合には、前記先読み予告音を出力しないものであり、
前記画像表示手段は、前記先読み予告条件の成立があった場合に、前記扉体が開放されている場合にも、前記先読み予告画像を少なくとも表示するものである、
ことを特徴とする遊技台。
【請求項２】
請求項１記載の遊技台であって、
主制御部と、
前記主制御部から送信されるコマンドに基づいて動作する副制御部と
を備え、
前記先読み予告音を出力するか否かは、前記副制御部で決定され、
前記先読み予告画像を表示するか否かは、前記副制御部で決定されること、
を特徴とする遊技台。
【請求項３】
請求項１または２に記載の遊技台であって、
遊技球が進入した場合に取得された始動情報が保留されていることを示す保留表示を少なくとも実行可能な保留表示手段を備え、
前記先読み予告画像は、
前記保留表示によって行われること
を特徴とする遊技台。
【請求項４】
請求項３記載の遊技台であって、
前記先読み予告条件は、
保留されている前記始動情報に、特定の当否判定結果となる情報が含まれていること
を特徴とする遊技台。
【請求項５】
請求項１乃至４のいずれか１項に記載の遊技台であって、
光を少なくとも出力可能な光出力手段を備え、
前記光出力手段は、前記先読み予告条件の成立があった場合に、前記当否判定手段による前記当否判定が実行されるよりも前に先読み予告光を少なくとも出力可能なものであり、
前記光出力手段は、前記先読み予告条件の成立があった場合に、前記扉体が開放されている場合にも、前記先読み予告光を少なくとも出力するものであること
を特徴とする遊技台。
【手続補正２】
【補正対象書類名】明細書
【補正対象項目名】０００６
【補正方法】変更
【補正の内容】
【０００６】
上記目的は、
扉体と、
当否判定を少なくとも実行可能な当否判定手段と、
音を少なくとも出力可能な音出力手段と、
画像を少なくとも表示可能な画像表示手段と、
を備えた遊技台であって、
前記音出力手段は、先読み予告条件の成立があった場合に、前記当否判定手段による前記当否判定が実行されるよりも前に先読み予告音を少なくとも出力可能なものであり、
前記画像表示手段は、前記先読み予告条件の成立があった場合に、前記当否判定手段による前記当否判定が実行されるよりも前に先読み予告画像を少なくとも表示可能なものであり、
前記音出力手段は、前記先読み予告条件の成立があった場合に、前記扉体が開放されている場合には、前記先読み予告音を出力しないものであり、
前記画像表示手段は、前記先読み予告条件の成立があった場合に、前記扉体が開放されている場合にも、前記先読み予告画像を少なくとも表示するものである、
ことを特徴とする遊技台
によって達成される。
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
肺疾患を処置するための薬物の気管支内送達のための装置であって、該装置は、
少なくとも１つの入口ポートを含む近位端、遠位端、および該入口ポートと該遠位端との間に延びる管腔を備える、シャフトと、
該シャフトの遠位端に配置されており、該管腔と流体連絡している、針なし注射アセンブリであって、該針なし注射アセンブリは、気道壁の上皮を横切る、コラーゲン性の平滑筋層内への薬物の制御された導入のための少なくとも１つのポートを含む、針なし注射アセンブリと、
該管腔と流体連絡している該薬物の供給源であって、該薬物は、気道狭窄の少なくとも１つの機構を制御する、供給源と
を備える、装置。
【請求項２】
前記薬物は、神経毒である、請求項1に記載の装置。
【請求項３】
近位端、遠位端、および該近位端と該遠位端との間に延びる管腔を有する、気管支鏡
をさらに備え、
前記シャフトは、該気管支鏡の管腔を滑動可能に通過するような寸法である、請求項１に記載の装置。
【請求項４】
前記針なし注射アセンブリは、加圧流体を使用して、前記薬物を前記気道の標的処置領域へと注入する、請求項１に記載の装置。
【請求項５】
標的処置領域に近接して前記ポートを配置するための、前記シャフトに配置された偏向手段をさらに備える、請求項１に記載の装置。
【請求項６】
前記偏向手段は、膨張可能なバルーンである、請求項５に記載の装置。
【請求項７】
前記針なし注射アセンブリは、前記気道の対向する壁に対する各注射器上に少なくとも１つのポートを配置するように配列された２つ以上の針なし注射器を含む、請求項１に記載の装置。
【請求項８】
前記針なし注射器は、前記針なし注射アセンブリの中心から離れて拡張し、前記気道壁と接触するように、ばね付勢される、請求項７に記載の装置。
【請求項９】
前記針なし注射アセンブリは、予め湾曲されて、前記少なくとも１つのポートを前記気道壁に対して付勢する、請求項１に記載の装置。
【請求項１０】
前記針なし注射アセンブリを能動的に湾曲して、前記少なくとも１つのポートを前記気道壁に対して付勢する作動機構をさらに含む、請求項１に記載の装置。
【請求項１１】
前記針なし注射アセンブリは、低圧力で前記少なくとも１つのポートを介して前記薬物を注入して、前記気道壁の上皮表面を横切って前記薬物を輸送する、浸出性のバルーンのアプリケータを含む、請求項１に記載の装置。
【請求項１２】
前記薬物の所望の投与量を前記気道壁に送達する制御器をさらに含む、請求項１に記載の装置。
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
中間転写体と、
画像データに基づいて前記中間転写体にインクを付与して中間画像を形成する記録ヘッドと、
前記中間転写体に形成された前記中間画像を加熱する加熱手段と、
前記加熱手段で加熱された前記中間画像を記録媒体に転写する転写手段と、
前記加熱手段で加熱された前記中間転写体を冷却する冷却手段と、
を有する記録装置であって、
前記冷却手段は、前記画像データに基づいて、前記中間転写体の前記中間画像が形成された領域内の複数箇所を個別に冷却することを特徴とする記録装置。
【請求項２】
前記冷却手段は、前記加熱手段で加熱された後の前記複数箇所の間の温度差が小さくなるように、前記画像データの中の前記複数箇所の各々に対応するデータに基づいて前記複数箇所を個別に冷却することを特徴とする、請求項１に記載の記録装置。
【請求項３】
前記冷却手段は、前記複数箇所の各々に対応する記録ｄｕｔｙに関する情報を前記画像データから取得し、前記記録ｄｕｔｙが相対的に低い箇所の冷却量が、前記記録ｄｕｔｙが相対的に高い箇所の冷却量よりも大きくなるように冷却することを特徴とする、請求項２に記載の記録装置。
【請求項４】
中間転写体と、
画像データに基づいて前記中間転写体にインクを付与して中間画像を形成する記録ヘッドと、
前記中間転写体に形成された前記中間画像を加熱する加熱手段と、
前記加熱手段で加熱された前記中間画像を記録媒体に転写する転写手段と、
前記加熱手段で加熱された前記中間転写体を冷却する冷却手段と、
を有する記録装置であって、
前記冷却手段は、前記加熱手段で加熱された後の前記中間転写体の温度に基づいて、前記中間転写体の前記中間画像が形成された領域内の複数箇所を個別に冷却することを特徴とする記録装置。
【請求項５】
前記加熱手段で加熱された後の前記中間転写体の温度に関する情報を取得する取得手段を有し、前記冷却手段は、前記加熱手段で加熱された後の前記複数箇所の間の温度差が小さくなるように、前記取得手段で取得された温度に関する情報に基づいて前記複数箇所を個別に冷却することを特徴とする、請求項４に記載の記録装置。
【請求項６】
前記冷却手段は、前記複数箇所の各々に対応する前記温度に関する情報に基づいて、前記温度が高い箇所の冷却量が、前記温度が低い箇所の冷却量よりも大きくなるように冷却することを特徴とする、請求項５に記載の記録装置。
【請求項７】
前記取得手段は前記中間転写体の表面の温度を検出する温度センサを有することを特徴とする、請求項５または６に記載の記録装置。
【請求項８】
前記冷却手段は個別に制御することが可能な複数の冷却素子を有し、各々の冷却素子はノズルから前記中間転写体の表面に流体を吹き付ける、もしくは前記中間転写体の表面に接触面を接触させることを特徴とする、請求項１から７のいずれか１項に記載の記録装置。
【請求項９】
前記加熱手段は、前記画像データに基づいて、前記中間画像が形成された領域内の複数箇所を個別に加熱することを特徴とする、請求項１から８のいずれか１項に記載の記録装置。
【請求項１０】
前記加熱手段は、前記複数箇所の各々に対応する記録ｄｕｔｙに関する情報を前記画像データから取得し、前記記録ｄｕｔｙが相対的に高い箇所の加熱量が、前記記録ｄｕｔｙが相対的に低い箇所の加熱量よりも大きくなるように加熱することを特徴とする、請求項９に記載の記録装置。
【請求項１１】
前記冷却手段は、前記転写手段による転写の後に、前記中間転写体の前記中間画像が形成された領域を一様に冷却する第１冷却部と、前記第１冷却部での冷却の後に前記温度もしくは前記画像データに基づいて前記複数箇所を個別に冷却する第２冷却部を有することを特徴とする、請求項１から１０のいずれか１項に記載の記録装置。
【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
インクを噴射する印刷ヘッドを備えると共に前記インクを一時的に蓄えるサブタンクを有して往復動するキャリッジと、
前記キャリッジよりも上方側に位置するインク貯留部と、
複数の流路が並列して設けられると共に、前記インク貯留部のインクを前記サブタンクへ供給するインクチューブと、
を有し、
前記インクチューブは、前記キャリッジの移動方向に沿って配設され、かつ、前記流路の並列する方向が、前記キャリッジの移動方向および上下方向と直交する奥行き方向に沿っている、
ことを特徴とするプリンター。
【請求項２】
請求項１記載のプリンターであって、前記インク貯留部は、前記キャリッジの移動領域の少なくとも一部と重なりを有するように、前記キャリッジの上方に配置されていることを特徴とするプリンター。
【請求項３】
請求項２記載のプリンターであって、前記キャリッジの下方側において前記キャリッジの移動方向に沿う摺動をガイドする第１のガイド手段と、
前記キャリッジの上方側において前記キャリッジの移動方向に沿う摺動をガイドする第２のガイド手段と、を備えて構成され、
前記第１のガイド手段は、前記主走査方向に沿って設けられるキャリッジ軸を有すると共に、
前記キャリッジには、係合部と下方押圧手段とが設けられていて、
前記係合部は、前記キャリッジ軸の上側を含む周方向から前記キャリッジ軸の周方向に接触し、
前記下方押圧手段は、下方弾性部材およびこの下方弾性部材によって押圧される下方押圧部材を有し、
前記下方押圧部材は前記下方弾性部材の付勢力によって前記キャリッジ軸の中心を通る水平線よりも下側から前記キャリッジ軸を押圧する、
ことを特徴とするプリンター。
【請求項４】
請求項３記載のプリンターであって、
前記第２のガイド手段は、前記主走査方向に沿って設けられるガイド板を有すると共に、
前記キャリッジには、当接部と、上方押圧手段とが設けられていて、
前記当接部は、前記ガイド板の一方の板面に当接し、
前記上方押圧手段は、上方弾性部材およびこの上方弾性部材によって押圧される上方押圧部材を有し、
前記上方押圧部材は、前記上方弾性部材の付勢力によって前記ガイド板の他方の板面から前記ガイド板を押圧する、
ことを特徴とするプリンター。
【請求項５】
請求項４記載のプリンターであって、
前記当接部は、前記ガイド板のうち前記インクチューブが前記キャリッジに取り付けられる側に位置していると共に、
前記上方押圧手段は、前記ガイド板のうち前記インクチューブが前記キャリッジに取り付けられる側とは反対側に位置している、
ことを特徴とするプリンター。
【手続補正２】
【補正対象書類名】明細書
【補正対象項目名】０００７
【補正方法】変更
【補正の内容】
【０００７】
上記課題を解決するために、本発明のプリンターは、インクを噴射する印刷ヘッドを備えると共にインクを一時的に蓄えるサブタンクを有して往復動するキャリッジと、キャリッジよりも上方側に位置するインク貯留部と、複数の流路が並列して設けられると共に、インク貯留部のインクをサブタンクへ供給するインクチューブと、を有し、インクチューブは、キャリッジの移動方向に沿って配設され、かつ、流路の並列する方向が、キャリッジの移動方向および上下方向と直交する奥行き方向に沿っているものである。
【手続補正３】
【補正対象書類名】明細書
【補正対象項目名】０００８
【補正方法】変更
【補正の内容】
【０００８】
このように構成する場合には、インクチューブは、キャリッジの移動方向に沿って配設され、かつ、流路の並列する方向がキャリッジの移動方向および上下方向と直交する奥行き方向に沿って設けられている。このため、キャリッジが移動する場合、キャリッジはインクチューブを撓ませながら移動する。ここで、インクチューブにおいては、複数の流路が幅方向に並んで設けられているため、インクチューブの長手方向および厚み方向と直交する厚み方向の寸法が最も小さい。そのため、インクチューブの厚み方向の一端側が内周側、厚み方向の他端側が外周側となるように変形することは許容される。このとき、インクチューブにおいては、キャリッジが移動すると、インクチューブは、上下方向に突出するように変形する。このとき、インクチューブの幅方向の一端側が内周側、他端側が外周側となるような変形成分、およびインクチューブの長手方向の一端側が内周側、他端側が外周側となるような変形成分は、上述の厚み方向に関する変形と混在し難い。そのため、キャリッジが移動する際のインクチューブの変形は、捻じれ変形が抑えられる状態となっている。
そのため、キャリッジの移動に際して、インクチューブが上下方向に変形する。そのため、プリンターの奥行き方向に沿う寸法を低減することが可能となり、プリンターの小型化を図ることが可能となる。
【手続補正４】
【補正対象書類名】明細書
【補正対象項目名】０００９
【補正方法】変更
【補正の内容】
【０００９】
また、本発明の他の側面は、インク貯留部は、キャリッジの移動領域の少なくとも一部と重なりを有するように、キャリッジの上方に配置されていることが好ましい。
このように構成することで、インク貯留部のために余分なスペースを設けることを抑制でき、プリンターの小型化が実現できる。
【手続補正５】
【補正対象書類名】明細書
【補正対象項目名】００１０
【補正方法】変更
【補正の内容】
【００１０】
また、本発明の他の側面は、上述の発明に加えて更に、キャリッジの下方側において前記キャリッジの移動方向に沿う摺動をガイドする第１のガイド手段と、キャリッジの上方側においてキャリッジの移動方向に沿う摺動をガイドする第２のガイド手段と、を備えて構成され、第１のガイド手段は、キャリッジの移動方向に沿って設けられるキャリッジ軸を有すると共に、キャリッジには、係合部と下方押圧手段とが設けられていて、係合部は、キャリッジ軸の上側を含む周方向からキャリッジ軸の周方向に接触し、下方押圧手段は、下方弾性部材およびこの下方弾性部材によって押圧される下方押圧部材を有し、下方押圧部材は下方弾性部材の付勢力によってキャリッジ軸の中心を通る水平線よりも下側から前記キャリッジ軸を押圧する、ことが好ましい。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
フィルムに接着層およびコーティング層が形成された印刷シートに、紫外線硬化型インクを用いて、印刷しようとする図柄の輪郭の形状にベースを印刷することと、
前記ベースに紫外線を照射して前記ベースを硬化することと、
硬化した前記ベースに紫外線硬化型インクを用いて前記図柄を印刷することと、
前記図柄に紫外線を照射して前記図柄を硬化することと、
前記フィルムから前記ベースを剥がすことにより、前記輪郭を有する前記図柄が形成された印刷物を得ることと、
を特徴とする印刷物製造方法。
【請求項２】
前記コーティング層に微小な粒子が敷き詰められるように設けられている請求項１に記載の印刷物製造方法。
【請求項３】
紫外線硬化型インクを用いて、フィルムに接着層およびコーティング層が形成された印刷シートに、図柄の輪郭の形状にベースおよび前記ベースに前記図柄を印刷する印刷ヘッドユニットと、
前記印刷シートに印刷された前記ベースおよび前記図柄に紫外線を照射して前記ベースおよび前記図柄を硬化する紫外線照射ユニットと、
を備えることを特徴とする印刷物製造装置。
【手続補正書】
【提出日】平成25年6月5日(2013.6.5)
【手続補正１】
【補正対象書類名】特許請求の範囲
【補正対象項目名】請求項５
【補正方法】変更
【補正の内容】
【請求項５】
前記表面改質手段は、プラズマ照射装置であることを特徴とする請求項４に記載の樹脂製容器の表面改質装置。
【手続補正２】
【補正対象書類名】明細書
【補正対象項目名】００２６
【補正方法】変更
【補正の内容】
【００２６】
殺菌ホイール１０の回転により、ボトル支持手段に支持されている樹脂製容器２が図１の矢印Ｒ方向に回転搬送されて電子線照射装置１２の前面側に到達する。ボトル支持手段に支持された樹脂製容器２が、電子線照射装置１２の照射窓１２ａの前方側を移動する間に電子線の照射を受けて殺菌される。
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
インクが含有する色材成分を凝集させる凝集液を、親液部と撥液部とからなるパターンを有する中間転写体の画像形成面に付与する凝集液付与工程と、該色材成分を含有するインクを該凝集液が付与された中間転写体の画像形成面に付与して中間画像を形成する中間画像形成工程と、該中間画像が形成された該画像形成面に記録媒体を圧着して該中間画像を該画像形成面から該記録媒体へ転写して画像を形成する転写工程とを有する転写型インクジェット記録方法であって、
前記親液部は、面積が異なる２種類以上の領域で構成されていることを特徴とする転写型インクジェット記録方法。
【請求項２】
前記撥液部の前記凝集液に対する接触角が、６０°以上であり、前記撥液部の前記インクに対する接触角が、９０°以下である請求項１に記載の転写型インクジェット記録方法。
【請求項３】
前記親液部の前記凝集液に対する接触角が、前記撥液部の前記凝集液に対する接触角よりも５°以上低い請求項１又は２に記載の転写型インクジェット記録方法。
【請求項４】
画像形成面に親液部と撥液部とからなるパターンを有し、転写型インクジェット記録方法に用いられる中間転写体であって、
前記親液部は、面積が異なる２種類以上の領域で構成されていることを特徴とする中間転写体。
【請求項５】
請求項４に記載の中間転写体と、凝集液を付与する凝集液付与部と、インクを付与するインクジェット記録ヘッドとを有する転写型インクジェット記録装置。